【事件の表示】
　特許第２８１９６５８号「インクジェット記録装置」の特許に対する特許異議の申立てについて、次のとおり決定する。
【結　論】
　訂正を認める。
　特許第２８１９６５８号の特許を維持する。
【理　由】
［手続の経緯］
　本件特許第２８１９６５８号の特許請求の範囲の請求項１に係る発明は、平成１年９月５日に特許出願され、平成１０年８月２８日にその特許の設定登録がなされ、その後、その特許について日本電気株式会社より特許異議の申立がなされ、当審において取消理由通知がなされたところ、その指定期間内である平成１１年１０月１２日に訂正請求がなされ、当審において訂正拒絶理由通知がなされたところ、その指定期間内である平成１２年２月１５日に意見書が提出されたものである。
　　　　　
［訂正の適否についての判断］
【１】訂正の内容
（１）訂正事項ａ
　特許請求の範囲の請求項１において、「前記記録ヘッドの前記インク供給針より前記ノズル側に前記インク供給針の針孔断面より大きな面積を有する第１のフィルタを装着するとともに、前記インクタンクの前記インク供給口の内端に第２のフィルタを装着した」を「前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着した」と訂正する。 
 　　　　　
（２）訂正事項ｂ
　特許明細書の発明の詳細な説明中の特許請求の範囲の請求項１に関する記載において、「前記記録ヘッドの前記インク供給針より前記ノズル側に前記インク供給針の針孔断面より大きな面積を有する第１のフィルタを装着するとともに、前記インクタンクの前記インク供給口の内端に第２のフィルタを装着した」（特許掲載公報２頁３欄７〜１１行）を、「前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着した」と訂正する。
　　　　　
【２】訂正の目的の適否、新規事項の有無および拡張・変更の存否
（１）訂正事項ａについて
　この訂正は、特許掲載公報２頁４欄３１〜３２行の記載及び第３，５図の記載の範囲内において、インクタンクの内部と記録ヘッドのノズルに至る流路のうちインク供給針の記録ヘッドのノズル側端部と第１フィルタとを連結すると共に第１フィルタを囲む密封した部分を「垂直経路」と新たに表現すると共に、その「垂直経路」の構成を「インク供給針の記録ヘッドのノズル側端部に向けて先細状に形成し」と限定し、
　また、同２頁３欄４８行〜同頁４欄５行，同２頁４欄３５〜３８行の記載及び第４，５図の記載の範囲内において、「インクタンク」の構成を「インクタンクの供給口の内端に空間が形成されると共に、前記インクタンクの内部に吸収材が充填され、前記空間と前記吸収材との境界に前記吸収材と密着する第２のフィルタを装着した」と限定したものであり、特許請求の範囲の減縮を目的とするものであって、新規事項の追加に該当せず、実質上特許請求の範囲を拡張し又は変更するものではない。
　　　　　
（２）訂正事項ｂについて
　この訂正は、上記訂正事項ａの訂正に伴い、それとの整合を図るために発明の詳細な説明の記載を訂正するものであり、明りょうでない記載の釈明を目的とするものであって、新規事項の追加に該当せず、実質上特許請求の範囲を拡張し又は変更するものではない。
　　　　　
（３）独立特許要件について
　訂正後の請求項１に係る発明は、後述するように、特許出願の際独立して特許を受けることができるものである。
　　　　　
（４）訂正の適否についてのまとめ
　以上のとおりであるから、特許明細書に対する本訂正は、特許法等の一部を改正する法律（平成６年法律第１１６号、以下「平成６年改正法」という）附則第６条第１項の規定によりなお従前の例によるとされる、平成１１年改正前の特許法第１２０条の４第３項において準用する平成６年改正法による改正前の特許法第１２６条第１，２，３項の規定に適合するので、認める。
　　　　　
【３】特許異議申立について
（１）特許請求の範囲の請求項１に係る発明
　訂正後の特許請求の範囲の請求項１に係る発明（以下「本件発明」という）は、その特許請求の範囲の請求項１に記載された事項により特定される以下のとおりである。
　「【請求項１】記録ヘッドに対し着脱可能で該記録ヘッドへのインク供給口に封止部材を装着したインクタンクと、該インクタンクの前記封止部材に挿入され前記インクタンクの内部と前記記録ヘッドのノズルに至る流路とを連通させるインク供給針とを備えた前記記録ヘッドとを有するインクジェット記録装置であって、前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着したことを特徴とするインクジェット記録装置。」 
　　　　　
（２）特許異議申立の理由の概要
　異議申立人は、証拠方法として甲第１号証〔特開昭５２−１５００３４号公報＝取消理由及び訂正拒絶理由の刊行物１〕，甲第２号証〔特開昭５９−３３１５３号公報＝同刊行物２〕，甲第３号証〔特開昭６３−８７２４２号公報＝同刊行物３〕，甲第４号証〔実願昭５７−１８３５４７号（実開昭５９−８７９４６号）のマイクロフィルム＝同刊行物４〕を提出し、訂正前の本件発明は甲第１〜４号証に記載された発明に基づいて当業者が容易に発明をすることができたものであるから、訂正前の本件発明の特許は特許法第２９条第２項の規定に違反してされたものであり、取り消されるべきものであると主張している。
　　　　　
（３）甲各号証に記載された発明
１．甲第１号証〔特開昭５２−１５００３４号公報〕
　甲第１号証には、インク供給源からノズルに至るインクシステムに空気あるいはゴミ細片が混入しないように配慮したインクジェット記録装置に関する発明が記載され、その構成及び作用効果に関する公報２頁右下欄１２行〜３頁左上欄１０行，４頁右上欄１行〜左下欄４行，５頁右上欄１４行〜左下欄１７行，６頁右上欄１４行〜右下欄１０行，等の記載及び第１〜７図の記載からみて、プリントヘッドＨに対し着脱可能で口金１０２にシール部材１０８を装着したインク供給装置Ａと、該インク供給装置Ａの前記シール部材１０８に挿入され前記インク供給装置Ａの内部と前記プリントヘッドＨのノズル１に至るインク供給系路Ｐ、室２１１及び小室２０２とを連通させる管状針２０６とを備えた前記プリントヘッドＨとを有するインクジェット記録装置であって、前記プリントヘッドＨの前記管状針２０６より前記ノズル１側に前記管状針２０６の針孔断面より大きな面積を有するフィルタ２１３を装着し、前記管状針２０６のプリントヘッドＨのノズル１側端部と前記フィルタ２１３とを連結すると共に前記フィルタ２１３を囲む密封した室２１１を、その上壁面である仕切板２０５を中央部に若干の平面２１１ａを有すると共に、その端から外側に向けて勾配を有する面２１１ｂ或いは平面を形成し、前記インク供給装置Ａの口金１０２の内端に記録用インクを内包し且つ圧力を発生せしめうるように弾性（可撓性）材料から成るバルーン状容器１００の基部を保持したことを特徴とするインクジェット記録装置が記載されている。
２．甲第２号証〔特開昭５９−３３１５３号公報〕
　甲第２号証には、インクジェット記録装置のインク容器に関する技術が記載され、その構成等に関する公報２頁左上欄５行〜右上欄６行，等の記載及び第３，４図の記載からみて、インクカセットケース７の内部にインク袋８を収納しこのインク袋８内に内蔵したインクはインク供給チューブ９を介して外部に導出できること、インク供給チューブ９の先端に取り付けた接続コネクタ１１にインクジェットプリンター側の接続針１０を挿入すること、接続コネクタ１１は一端を閉じ他端を開放した断面略コ字状弾性材料でなる盲栓１２と盲栓１２内に多孔質材料でなるフィルタ１３を固定する弾性材料でなる固定リング１４からなること、盲栓１２と固定リング１４とで形成する内部空間をフィルタ１３により２分して空間１５，１６を形成すること、等の技術が記載されている。
３．甲第３号証〔特開昭６３−８７２４２号公報〕
　甲第３号証には、プリントヘッドを一体的に設けたインクジェットペンに関する技術が記載され、その構成等に関する公報２頁左下欄９行〜右下欄１６行，３頁左下欄５行〜右下欄４行，等の記載及びＦｉｇ１，２の記載からみて、ペン本体１０の内部に内壁６２，６４を設けて形成した３つのインク貯蔵仕切り室１２，１４，１６内にそれぞれポリウレタンフォーム（発泡体）の３つの部分４２，４４，４６を装填すること、ペン本体１０のプリントヘッド２８側の内面に３つのインクパイプ９４，９６，９８により３つのインク室８８，９０，９２を形成すること、各インク室８８，９０，９２と各部分４２，４４，４６との境界に各部分４２，４４，４６と密着するステンレスワイヤメッシュ製のインクフィルタ３６，３８，４０をそれぞれ装着すること、各インクフィルタ３６，３８，４０が各フォーム・ボディ部４２，４４，４６から供給されるインクの空気泡及び固体粒子を濾過すること、等の技術が記載されている。
４．甲第４号証〔実願昭５７−１８３５４７号（実開昭５９−８７９４６号）のマイクロフィルム〕　
　甲第４号証には、インクジェットプリンタに関する技術が記載され、その構成等に関する明細書６頁５行〜７頁６行，等の記載及び第３図の記載からみて、インク貯蔵容器２０１の内部にスポンジゴムなどの発泡材３０２を設けること、発泡材３０２を設けたインク貯蔵容器２０１のインク供給出口３０４側にフィルタ室３０６を設け、該フィルタ室３０６に数μｍ程度のメッシュを持つフィルタ３０３を設けること、フィルタ３０３が発泡材３０２を通過したインク３０１に含まれる微細なごみにより印字ヘッド１００内の微細なノズル孔１０１が塞がれるのを防ぐこと、等の技術が記載されている。
　　　　　
（４）本件発明と甲各号証に記載された発明との対比・検討
　甲第１号証に記載された発明における「プリントヘッドＨ」，「口金１０２」，「シール部材１０８」，「インク供給装置Ａ」，「ノズル１」，「インク供給装置Ａの内部とプリントヘッドＨのノズル１に至るインク供給系路Ｐ、室２１１及び小室２０２」，「管状針２０６」，「フィルタ２１３」，「管状針２０６のプリントヘッドＨのノズル１側端部とフィルタ２１３とを連結すると共にフィルタ２１３を囲む密封した室２１１」が、本件発明における「記録ヘッド」，「記録ヘッドへのインク供給口」，「封止部材」，「インクタンク」，「ノズル」，「インクタンクの内部と記録ヘッドのノズルに至る流路」，「インク供給針」，「第１のフィルタ」，「インク供給針の記録ヘッドのノズル側端部と第１フィルタとを連結すると共に第１フィルタを囲む密封した垂直経路」にそれぞれ相当するから、両者は、「記録ヘッドに対し着脱可能で該記録ヘッドへのインク供給口に封止部材を装着したインクタンクと、該インクタンクの前記封止部材に挿入され前記インクタンクの内部と前記記録ヘッドのノズルに至る流路とを連通させるインク供給針とを備えた前記記録ヘッドとを有するインクジェット記録装置であって、前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を設けたことを特徴とするインクジェット記録装置。」の点で一致し、次の点で相違する。
１．本件発明が、「垂直経路」を、「インク供給針の記録ヘッドのノズル側端部に向けて先細状に形成し」ているのに対し、甲第１号証に記載された発明は、該「垂直経路」に対応する「室２１１」がそのような構成になっていない。（以下「相違点１」という）
２．本件発明が、「インクタンクの供給口の内端に空間が形成されると共に、インクタンクの内部に吸収材が充填され、空間と吸収材との境界に吸収材と密着する第２のフィルタを装着した」のに対し、甲第１号証に記載された発明は、該「インクタンク」に対応する「インク供給装置Ａ」がそのような構成になっていない。（以下「相違点２」という）
　　　　　
（５）上記相違点１，２についての検討
１．相違点１について  
　本件発明の甲第１号証に記載された発明との上記相違点１に係る構成である「インク供給針の記録ヘッドのノズル側端部に向けて先細状に形成し」た「垂直経路」の点は、上記甲第２〜４号証の何れにも記載されていない。
　即ち、上記「先細状に形成し」た「垂直経路」は、特許権者が主張するようにインクの円滑な流れに寄与するものと認められ、この点において、「室２１１」内でのインクの円滑な流れに言及せず、しかも、該「室２１１」の「管状針２０６」の先端上方に気泡を集めて泡抜きをするものである甲第１号証に記載された発明とは、格別の差異があるものと認められ、また、該「垂直経路」は、特許掲載公報２頁４欄４０〜４５行の「インクタンク交換時供給針開孔部に気泡が入るが、新たにインクタンクを装着したときその気泡は空間２１内へ浮き上がり、下方供給針の方へ進むのが防がれ、しかも浮き上がった気泡は次にインクタンクを交換するとき、インクタンクと共に捨てられる。」との記載からみて、該「垂直経路」内に存在する気泡をその先細状部分の斜面により「インクタンク」の供給口内端の「空間２１」内へ導いて記録ヘッドへの侵入を防止することにも寄与するものであると推測でき、この点においても、甲第１号証に記載された発明とは、格別の差異があるものと認められる。
　従って、たとえ、流路の拡大部を傾斜面で連続させてスムーズな流れを得ることが一般的に周知の技術であるとしても、この周知技術を甲第１号証に記載された発明の「室２１１」に単に適用しただけでは、本件発明の如くの構成は想到しえないことと認められる。
２．相違点２について
　本件発明の甲第１号証に記載された発明との上記相違点２に係る構成である「インクタンクの供給口の内端に空間が形成されると共に、インクタンクの内部に吸収材が充填され、空間と吸収材との境界に吸収材と密着する第２のフィルタを装着した」点は、上記甲第２〜４号証の何れにも記載されていない。
　ところで、甲第２号証にはインクカセットケース７の接続コネクタ１１に形成された空間１５内に接続針１０が挿入されるようにしたインク容器とインクジェットプリンター側の接続針１０との結合技術が示され、また、甲第３号証にはインク貯蔵仕切り室１２，１４，１６の内部にポリウレタンフォーム（発泡体）の３つの部分４２，４４，４６を充填してなるペン本体１０の内端に形成されたインク室８８，９０，９２がプリントヘッド２８と連通するようにしたペンの技術が示され、更に、甲第４号証には内部に発泡材３０２を挿入したインク貯蔵容器２０１のインク供給出口３０４側のフィルタ室３０６にフィルタ３０３を設けて印字ヘッド１００と連通するようにしたインクジェットプリンタの技術が示されているが、甲第２号証のものはインク袋８内に吸収材を挿入せず、甲第３号証のものはインク室８８，９０，９２とプリントヘッド２８との連通をインク供給針によらず、甲第４号証のものはフィルタ室３０６と印字ヘッド１００との連通をインク供給針によらず且つ発泡材３０２とフィルタ３０３とが密着せず、しかも、これら甲第２〜４号証には、インク供給針を含むインク経路内の気泡をインクタンクの空間内に積極的にとどまらせるという技術思想は開示ないし示唆されていないものであるから、これら甲第２〜４号証に記載された技術を甲第１号証に記載された発明の「インク供給装置Ａ」に適用して本件発明の如くの構成にすることは当業者といえども想到しえないことと認められる。
３．まとめ
　そして、本件発明は、上記相違点１，２に係る構成を発明を特定する事項とすることにより、特許明細書に記載された「インク供給針をインクタンクの封止部材に貫通させてインクタンク内部に挿入するときに侵入する異物等を大きなフィルタで確実に捕えるとともに、フィルタでの流路抵抗の増大を防止し、円滑なインク供給を可能にする。フィルターを二重に配置し、交換用フィルターで多くの異物を捕捉させ、交換しないフィルターには負担をかけず、小面積ながらもフィルター寿命を延ばすことができた。」（特許掲載公報３頁５欄１５〜２３行）等の、甲第１〜４号証には期待することができない格別の作用効果を奏するものである。
　　　　　
（６）特許異議申立についての結論
　結局、本件発明は、甲第１〜４号証に記載された発明であるとも、甲第１〜４号証に記載された発明から当業者が容易に発明することができたものであるとも認めることができないから、本件発明の特許が特許法第２９条第２項の規定に違反してされたものであり、取り消されるべきものであるという異議申立人の主張は採用できない。
　　　　　
［むすび］
　以上のとおりであるから、特許異議申立の理由および証拠方法によっては、本件発明の特許を取り消すことはできない。
　また、他に本件発明の特許を取り消すべき理由を発見しない。
　したがって、本件発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年３月３１日（２０００．３．３１）
【訂正の要旨】
訂正の要旨
（１）訂正事項ａ
　特許請求の範囲の請求項１において、「前記記録ヘッドの前記インク供給針より前記ノズル側に前記インク供給針の針孔断面より大きな面積を有する第１のフィルタを装着するとともに、前記インクタンクの前記インク供給口の内端に第２のフィルタを装着した」を「前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着した」と訂正する。
（２）訂正事項ｂ
　特許明細書の発明の詳細な説明中の特許請求の範囲の請求項１に関する記載において、「前記記録ヘッドの前記インク供給針より前記ノズル側に前記インク供給針の針孔断面より大きな面積を有する第１のフィルタを装着するとともに、前記インクタンクの前記インク供給口の内端に第２のフィルタを装着した」（特許掲載公報２頁３欄７〜１１行）を、「前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着した」と訂正する。
（５４）【発明の名称】
インクジェット記録装置
（５７）【特許請求の範囲】
　　【請求項１】
　記録ヘッドに対し着脱可能で該記録ヘッドヘのインク供給口に封止部材を装着したインクタンクと、該インクタンクの前記封止部材に挿入され前記インクタンクの内部と前記記録ヘッドのノズルに至る流路とを連通させるインク供給針とを備えた前記記録ヘッドとを有するインクジェット記録装置であって、前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着したことを特徴とするインクジェット記録装置。
【発明の詳細な説明】
〔産業上の利用分野〕
　本発明は信頼性を向上させたコンパクトなインクジェット記録装置に関する。
〔従来の技術〕
　インクタンクをキャリッジ上に設置し、ヘッドと共に移動するインクジェット記録装置、及び吸収材を内部に充填したインクタンクは既に提案されてきている。
〔発明が解決しようとする課題〕
　しかしながら、従来の記録装置にあっては、インクタンク交換時の気泡侵入対策をはじめとする気泡対策が充分でなかった。又、吸収材は微細なホコリ等を発生し易く、フィルターの寿命が問題であった。
　そこで本発明は前述した従来技術の課題を解決するものであり、その目的とするところは、インクジェットヘッドヘの気泡や異物の侵入を確実に防止するインクジェット記録装置を提供することにある。
〔課題を解決するための手段〕
　本発明のインクジェット記録装置は、記録ヘッドに対し着脱可能で該記録ヘッドヘのインク供給口に封止部材を装着したインクタンクと、該インクタンクの前記封止部材に挿入され前記インクタンクの内部と前記記録ヘッドのノズルに至る流路とを連通させるインク供給針を備えた前記記録ヘッドとを有するインクジェット記録装置であって、前記記録ヘッドの前記インク供給針より前記ノズル側に前記インク供給針の針孔断面より大きな面積を有する第１のフィルタを装着し、前記インク供給針の記録ヘッドのノズル側端部と前記第１フィルタとを連結すると共に前記第１フィルタを囲む密封した垂直経路を、前記インク供給針の記録ヘッドのノズル側端部に向けて先細状に形成し、前記インクタンクの供給口の内端に空間が形成されると共に、前記インクタンクの内部に吸収材が充填され、前記空間と前記吸収材との境界に前記吸収材と密着する第２のフィルタを装着したことを特徴とする。
〔実施例〕
　以下に実施例に沿って本発明について詳しく説明する。第１図、第２図は本発明による記録装置のインクジェットヘッドの基板の実施例を示した図であり、第１図はその平面図、第２図はＡ−Ａに関する断面図である。
　高分子樹脂、ガラスあるいは金属等の平板状材料の基板１の片面に圧力室２、絞り部３、共通インク室４のための一連の流路溝を形成しており、その上に薄板８を接合して流路としている。各圧力室２には流路反対面へ貫通した連絡流路５を形成しており、その先端にはエレクトロフォーミングで微小ノズル穴６を形成したニッケルノズルプレート７を接合している。薄板８上には共通電極膜を介して板状の圧電素子９を各圧力室に対応した形で接着している。尚、第１図で破断線は薄板８を破断させたところを示す。
　インクは後述するインク供給口１０より入り、全流路を満たし、圧電素子９に電圧を印加することでノズル穴６よりインク滴を噴射する。
　第３図はインク供給口付近の実施例の詳細を図示した断面図である。基板１及び薄板８に設けた供給口１０には接続パイプ１２の先端部が挿入されてあり、その平坦部１３で薄板８に接合している。接続パイプ１２の内部の下方にはナイロン繊維またはステンレス繊維等からできた薄い第１のフィルター１１を配し、該フィルター１１を押えるように第２の接続パイプ１４を挿入している。接続パイプ１２と第２の接続パイプ１４の間にはゴムパッキン１５を配してインク漏れを防いでいる。第２の接続パイプ１４には上方よりステンレス製の供給針１６を打ち込んでいる。
　第３図から明らかなように、フィルター１１は供給針１６の針孔の断面より大きな面積を有し、供給針１６を後述するインクタンクのゴム栓２０を貫通させてインクタンク内部に挿入するときに侵入する異物等を大きなフィルターで確実に捕えるとともに、フィルタでの流路抵抗の増大を防止し、円滑なインク供給を可能にしている。
　第４図は本発明によるインクジェット記録装置に用いるインクタンクの実施例を示した図である。
　インクタンク１７はややテーパ状の内部に吸収材１８を装填しており、吸収材１８内にインクを保持、貯蔵している。吸収材１８に押し付けられてその下部にナイロン繊維またはステンレス繊維より成る第２のフィルター１９がある。フィルター１９は熱融着または接着剤により固定される。フィルター１９の下部にはゴム栓２０を押し込んで固定してあり、ゴム栓２０とフィルター１９との間には、空間２１を形造っている。尚、２２は通気孔である。
　第５図は、キャリッジ２３上に配したインクジェットヘッド２８とインクタンク１７の設置状態の実施例を示した図である。インクジェットヘッド２８はキャリッジ２３に固定され、インクタンク１７はキャリッジ２３に作られたガイド２４に沿って上方より挿入される。インクタンク１７を度当るまで挿入すると供給針１６はゴム栓２０を貫通して、その先端部の開孔は空間２１内へ突出する。
　供給針１６がゴム栓２０を貫通するとき、上方より大きな力を受ける。そこで第２の接続パイプ１４に突起を設け、上方からの荷重を直接キャリッジで受けるようにし、基板１や薄板８に影響が及ばないようにしている。
　２５はガイド軸であって、キャリッジ２３はガイド軸２５に案内されて紙面垂直方向に移動をくり返す。２６は記録紙である。
　試作例によれば、ノズル穴６の径φ５０μｍ、絞り部３の流路深さ３０μｍであり、第１のフィルター１１は２５μｍ以上の異物を阻止、第２のフィルター１９は２０μｍ以上の異物を阻止できるよう、フィルターメッシュを設定した。
　以上に説明した本発明による実施例によれば、キャリッジ上にヘッドとインクタンクを搭載し、インク滴を下向きに記録紙上に噴射して記録を行なう。インクの初期的充填や気泡の侵入というトラブルに対しては、従来周知の記録範囲外での吸引手段の動作によって実施または回復させることができる。
　上述したように第１のフィルターからインクタンクにかけてはほぼ垂直上方に流路を構成している。インクタンク内にあっては吸収材の微小孔によって気泡は下方へは進み難い。又、第２のフィルターによってさらに侵入を防止している。第２のフィルターと吸収材を密着させることによって、その間に空気の存在するような空間を無くし、かつ毛細管力によって吸収材から第２のフィルターヘスムーズにインクを流すことができる。インクタンクにインクがなくなると、図示していないタンク内の２電極間のインピーダンスが増大して警報を発する。インクタンク交換時供給針開孔部に気泡が入るが、新たにインクタンクを装着したときその気泡は空間２１内へ浮き上がり、下方供給針の方へ進むのが防がれ、しかも浮き上がった気泡は次にインクタンクを交換するとき、インクタンクと共に捨てられる。
　フィルターは二重に設置されている。吸収材にはホコリや微細な吸収材カスが混入し、しかもその洗浄がむずかしいが、それらの異物は第２のフィルターによってヘッド方向へ進むのが阻止される。第１のフィルターはインクタンクを抜いた状態で、またはゴム栓の切りくずが供給針から入ってもヘッド方向へ進むのを阻止するもので、記録装置の寿命まで交換されない。
　ノズル穴寸法、絞り部寸法に対し、第１および第２のフィルター孔寸法を前述の関係の如く設定する。すなわち、ノズル穴や絞り部を閉塞するような異物は第１または第２フィルターで阻止する。第２のフィルターを通過した異物は第１のフィルターをも通過せしめ、よって交換のない第１のフィルターの寿命が短くならないようにしている。
〔発明の効果〕
　本発明のインクジェット記録装置によれば、記録ヘッドのインク供給針よりノズル側にインク供給針の針孔断面より大きな面積を有する第１のフィルタを装着するとともに、インクタンクのインク供給口の内端に第２のフィルタを装着したことにより、インク供給針をインクタンクの封止部材に貫通させてインクタンク内部に挿入するときに侵入する異物等を大きなフィルタで確実に捕えるとともに、フィルタでの流路抵抗の増大を防止し、円滑なインク供給を可能にする。
　フィルターを二重に配置し、交換用フィルターで多くの異物を捕捉させ、交換しないフィルターには負担をかけず、小面積ながらもフィルター寿命を延ばすことができた。
【図面の簡単な説明】
第１図は本発明によるインクジェット記録装置のインクジェットヘッドの基板の実施例を示した図、第２図は第１図のＡ−Ａに関する断面図、第３図は本発明によるインクジェット記録装置のインク供給路の実施例を示した図、第４図は本発明によるインクジェット記録装置のインクタンクの実施例を示した図、第５図は本発明によるインクジェット記録装置においてインクタンクを装着したときの実施例を示した図。
１……ヘッド基板
２……圧力室
３……絞り部
６……ノズル穴
８……薄板
１０……供給口
１１……第１のフィルター
１２……接続パイプ
１４……第２の接続パイプ
１６……供給針
１７……インクタンク
１８……吸収材
１９……第２のフィルター
２０……ゴム栓
２１……空間
２３……キャリッジ
２８……インクジェットヘッド